(57)【要約】【課題】  建築物の玄関等に配されるエントランスユニットの照明を、一つの光源でありながら明るいものに構成する。【解決手段】  エントランスユニット４を構成する表パネル６の上部に、上下の開口６ｃ、６ｄを形成し、これら上下の開口６ｃ、６ｄを介して外部を照射するにあたり、表パネル６に、これら開口６ｃ、６ｄを裏側から覆う反射ボックス１２を一体的に設け、該反射ボックス１２に設けた一つの照明灯１０により、各開口６ｃ、６ｄから照射する構成とする。【選択図】        図２
2006236754.tif 000002
【特許請求の範囲】
【請求項１】
建築物の玄関等に配されるエントランスユニットであって、該エントランスユニットを構成する表パネルに複数の開口を形成し、これら開口を介して外部を照射するにあたり、表パネルに、前記開口を裏側から覆う反射ボックスを設け、該反射ボックスに設けた一つの光源により、各開口から照射する構成としたエントランスユニットの照明構造。
【請求項２】
請求項１において、反射ボックスは、表パネルに対向する底片と、上下左右の四側片とにより構成されているエントランスユニットの照明構造。
【請求項３】
請求項１または２の何れか一項において、反射ボックスの各片は、表パネルの開口に光を誘導する誘導面に構成されているエントランスユニットの照明構造。
【請求項４】
請求項１、２または３の何れか一項において、反射ボックスの底面には、光源から離れて形成された開口に光を向けるべく、光源から離間する側ほど表パネル側に近付く傾斜面が形成されているエントランスユニットの照明構造。
【請求項５】
請求項１、２、３または４の何れか一項において、エントランスユニットは、玄関を開閉する親扉に対する袖扉の表パネルに複数の開口を形成し、これら開口を覆うように表パネルに反射ボックスを設けて構成されているエントランスユニットの照明構造。
【発明の詳細な説明】
【技術分野】
【０００１】
本発明は、ホテルや集合住宅等の建築物の出入り口部に設けられるエントランスユニットの照明構造の技術分野に属するものである。
【背景技術】
【０００２】
一般に、集合住宅等の玄関に、開閉するドアの一側部に位置し、照明灯の他に、インターホン、室名、表札、郵便受け等の玄関回りに必要な部材がユニット化されたエントランスユニットを設けることが提唱されている。
【０００３】
このようなエントランスユニットにおいて、照明灯を上方に設け、該照明灯の下方に、室名や表札等を設けるようにしたものが提唱されている。
【特許文献１】特開２００２−２４２４６３号公報
【発明の開示】
【発明が解決しようとする課題】
【０００４】
ところが、前記従来のものは、照明灯は、エントランスユニットの上方部位の仕切られた空間に設けられており、照明灯が下方の表札等を照射する構成とはなっていない。そのうえ、明るい玄関回りを演出するためには一つの照明灯だけでは充分ではないが、複数の照明灯をエントランスユニットに設けることは、その分メンテナンスが煩わしくなるばかりでなく、消費電力も大きくなることから好ましくなく、ここに本発明の解決すべき課題がある。
【課題を解決するための手段】
【０００５】
本発明は、上記の如き実情に鑑みこれらの課題を解決することを目的として創作されたものであって、請求項１の発明は、建築物の玄関等に配されるエントランスユニットであって、該エントランスユニットを構成する表パネルに複数の開口を形成し、これら開口を介して外部を照射するにあたり、表パネルに、前記開口を裏側から覆う反射ボックスを設け、該反射ボックスに設けた一つの光源により、各開口から照射する構成としたものである。
請求項２の発明は、請求項１において、反射ボックスは、表パネルに対向する底片と、上下左右の四側片とにより構成されているものである。
請求項３の発明は、請求項１または２の何れか一項において、反射ボックスの各片は、表パネルの開口に光を誘導する誘導面に構成されているものである。
請求項４の発明は、請求項１、２または３の何れか一項において、反射ボックスの底面には、光源から離れて形成された開口に光を向けるべく、光源から離間する側ほど表パネル側に近付く傾斜面が形成されているものである。
請求項５の発明は、請求項１、２、３または４の何れか一項において、エントランスユニットは、玄関を開閉する親扉に対する袖扉の表パネルに複数の開口を形成し、これら開口を覆うように表パネルに反射ボックスを設けて構成されているものである。
【発明の効果】
【０００６】
請求項１、２の発明とすることにより、一つの光源でありながら、明るく照明できるエントランスユニットを提供することが可能となる。
請求項３の発明とすることにより、一つの光源でありながら、複数箇所を集中的に一層明るく照明することができる。
請求項４の発明とすることにより、一つの光源でありながら、複数箇所を集中的に一層明るく照明することができる。
請求項５の発明とすることにより、エントランスユニットを袖扉のように設けることで意匠性を高めることができる。
【発明を実施するための最良の形態】
【０００７】
つぎに、本発明の実施の形態について、図面に基づいて説明する。
図面において、１は集合住宅の玄関開口部に設けられる玄関ドア（開閉用ドア）であって、該玄関ドア１は、開口部に一体的に設けられた主戸枠（四周枠）２の右側部位に丁番１ａを介して枢支連結されており、該右側部位を基準として屋内外方向に揺動することにより、玄関を開閉するように構成されている。
【０００８】
前記玄関ドア１が枢支される戸枠２の左側部位には、躯体表面に玄関ドア１の表面よりも屋内側に退避する凹部Ｂが形成されており、該凹部Ｂに、戸枠２に隣接する状態で副戸枠３が設けられている。そして、副戸枠３により囲繞された部位に、本発明が実施されたエントランスユニット４が設けられている。
つまり、エントランスユニット４は、玄関ドア１を親扉としたとき、該親扉の袖扉として配されており、四周に配される骨材５と、該骨材５の表面に一体化される表パネル６とを備えて構成され、上下方向長さについては玄関ドア１と等しく、左右幅については玄関ドア１よりも幅狭な寸法設定となっている。そして、左側に配された骨材５の上下には枢支ピン３ａが設けられており、該枢支ピン３ａを介して副戸枠３に枢支連結され、枢支ピン３ａを揺動支点として屋内外方向に揺動するように支持されている。因みに、エントランスユニット４は、屋内外方向に揺動して開閉自在であり、これによって袖扉を構成しているが、本実施の形態では、通常の使用状態において、玄関ドア１側の骨材５を副戸枠３に固定することにより躯体に一体化されていて、意匠的に袖扉のように形成されている。
【０００９】
前記エントランスユニット４の表パネル６は、基パネル６ａと、化粧パネル６ｂとを一体的に積層して構成されている。そして、エントランスユニット４の下端部には、新聞受け７が組み込まれ、該新聞受け７の上方にはインターホン８がそれぞれ組み込まれている。
さらに、エントランスユニット４の上方であって、インターホン８の上方部位には、表札プレート９と照明灯１０とが組み込まれるが、照明灯１０は、該照明灯１０配設部位だけでなく、表札プレート９配設部位についても裏側から照射して表札プレート９が明るく見やすくなるように構成されている。
【００１０】
つまり、エントランスユニット４の表パネル６（基パネル６ａと化粧パネル６ｂ）には、光源としての照明灯１０と表札プレート９との配設部位に対向して上下に並列する状態で開口６ｃ、６ｄがそれぞれ開設されている。そして、表札プレート９は、取り付け片９ａを介して表パネル下側開口６ｄの左右両端部に固定されており、表札プレート９と表パネル６とのあいだに所定の間隙が形成されている。
また、上側開口６ｃには、表側から当て板１１が宛てがわれているが、該当て板１１には上側開口６ｃよりも内側に位置して開口１１ａが形成されており、当て板１１により上側開口６ｃの切放し端部が覆われている。
【００１１】
１２は、表パネル６の裏面側に固定される反射ボックスであって、該反射ボックス１２は、前記二つの開口６ｃ、６ｄを両者とも覆うことのできる底片１２ａを備えて構成されている。前記反射ボックス１２は光の反射率の優れたステンレス材により構成されており、表パネル６に対向する前記底片１２ａと、上下、左右（底片１２ａの四周）の側片１２ｂとを備えたボックス形状をしており、反射ボックス１２の内側面が全て光を反射する反射面となっている。そして、反射ボックス１２は、各側片１２ｂの先端縁から外径側に折曲形成された取り付け片１２ｃを、表パネル６の裏面に接着等の手段により一体化することにより表パネル６に一体固定されている。尚、反射ボックス１２は、一般的なリフレクタとなる材料を用いて形成することもでき、さらには、ボックスの内側面のみに光を反射する材料を用いる構成としてもよく、例えば樹脂製のボックスの内面に反射率の優れた塗膜を塗布する等して構成することも可能である。
【００１２】
そして、反射ボックス底片１２ａには、表パネル上側開口６ｃに対向する部位に位置して照明灯１０が固定されており、これによって、照明灯１０の光が上側開口６ｃを介して外部を照射するように構成されている。尚、１３は照明灯１０の前方に設けられる照明カバーであって、該照明カバー１３は半透明のアクリル樹脂で形成され、取り付け片１３ａを介して上側開口部６ｃの四周縁部に固定されている。
ここで、照明灯１０のランプ部１０ａは、一半部が表パネル６よりも表側に突出しているが、他半部は反射ボックス１２内に位置して反射ボックス１２内を照射するように設定されている。そして、反射ボックス１２内を照射する光は、反射ボックス１２の底面１２ａや側片１２ｂにより複雑に反射して、上、下側の各開口６ｃ、６ｄから外部に向けて照射され、これら開口６ｃ、６ｄ以外から盛れることがないように構成されており、もって、照明灯１０部位を一層明るくし、かつ、表札プレート９が裏側から照射されて、一層明るく見やすい表札プレート９となるように構成されている。
【００１３】
さらに、本実施の形態では、反射ボックス１２の底片１２ａは、下側開口６ｄに対向する下方部位が、下端ほど表側に偏寄する傾斜面（本発明の誘導面に相当する）１２ｄに形成されていて、上方に設けられた照明灯１０の光を傾斜面１２ｄに照射することで下側開口６ｄ側に向けて誘導し、照明灯１０による光を下側開口６ｂ部位に誘導して、該下側開口６ｄを介して外部を照射する光を集束（集光）することができるように構成され、これによって、下側開口６ｄを介して照射される部位が一層明るくなるように構成されている。尚、底片１２ａに形成される誘導面の形状としては、上方に設けた照明灯１０からの光を反射して表パネル６に形成された下側開口６ｄに向けて積極的に照射するべく光を集束できる形状であればよく、開口の数や位置に合わせて適宜傾斜角度を設定することができる。さらには、底片１２ａに形成される誘導面を、前記傾斜面に限らず凹溝形状や凸形状等に形成することもでき、開口の位置や形状に合わせて適宜形状のものを選択することが可能である。
【００１４】
叙述の如く構成された本形態において、エントランスユニット４の上方に設けられる光源である照明灯１０は、内側面が光の反射に優れた反射ボックス１２内に設けられているため、表パネル６の上下側開口６ｃ、６ｄ以外から外部に漏れ出すことがなく、しかも、各片１２ａ、１２ｂにより反射した状態でこれら開口６ｃ、６ｄから外部を照射することになる。従って、光をロスすることがなく、しかも、反射面による反射を受けて、エントランスユニット４の近傍を一層明るく演出することができる。
そのうえ、光源としての照明灯１０は、反射ボックス１２内に一つ設けられるだけであるので、メンテナンスが容易となるうえ、部品点数を削減できる分、コスト低下にも寄与することができ、しかもランニングコストの低下を図ることも可能となる。
【００１５】
しかも、このものでは、反射ボックス１２の底片１２ａ、および、側片１２ｂとで構成される内周面が全て反射面として機能する構成となっているので、反射ボックス１２内の光源である照明灯１０の光を、何らロスすることなく反射させて外部を照射することになるので、一層明るい照明とすることができる。
【００１６】
さらに、このものでは、照明灯１０が設けられる部位の下方に下側開口６ｄが形成され、該下側開口６ｄの前方に表札プレート９が設けられているが、照明灯１０の光は、表札プレート９の裏側に形成された下側開口６ｄから照射されるので、表札プレート９の近傍を一層明るく照射することができる。しかもこの場合に、下側開口６ｄに対向する反射ボックス１２の底片１２ａには、傾斜面１２ｄが形成されて、上方の照明灯１０の光を傾斜面１２ｄにより受けて下側開口６ｄに集束する状態で誘導するので、下側開口６ｄ部位を一層明るく照射することができる。
【００１７】
また、このものでは、エントランスユニット４が玄関ドア１を親扉としたとき、該親扉に対する袖扉のように配され、高級感を持たせることができるとともに、意匠性が向する。
【００１８】
尚、本発明は前記実施の形態に限定されないことは勿論であって、図４、５、６に示す第二の実施の形態のように構成することもできる。
第二の実施の形態のエントランスユニット１４は、玄関ドア１５の一側部となる躯体に凹部Ｂを形成し、該凹部に埋め込まれる状態で組み込まれる構成となっている。
【００１９】
前記エントランスユニット１４を構成する表パネル１６は、表裏一対の面板１７、１８を用い、所定の表裏方向厚さを有した上下方向長尺体であって、下方部位には、新聞受け１９、インターホン２０等の部材が設けられ、上方部位に照明灯２１、部屋番号プレート２２、表札プレート２３が設けられる構成となっている。そして、表面板１７には、照明灯２１、部屋番号プレート２２、表札プレート２３の配設箇所に位置して第一、第二、第三開口１７ａ、１７ｂ、１７ｃが形成されている。
２４は裏面板１８に固定される反射ボックスであり、該反射ボックス２４は、少なくとも内側面が光を反射する材料により構成されており、底片２４ａ、上下、左右の側片２４ｂ、各側片２４ｂの表側端縁部から外方に折曲された取り付け片２４ｃとを備え、表面板１７に形成された第一、第二、第三開口１７ａ、１７ｂ、１７ｃを覆う大きさに形成されている。そして、反射ボックス２４は、取り付け片２４ｃを、裏面板１８に開設された大開口１８ａを介して表パネル１６の内側に嵌め込み、取り付け片２４ｃを表面板１７側から裏面板１８に当接せしめて貼着等の手段により一体化することで固定されている。
そして、反射ボックス底片２４ａの上部に設けた照明灯２１の光は、第一、第二、第三開口１７ａ、１７ｂ、１７ｃを介して外部を照射することにより、エントランスユニット１４の近傍を一層明るく照射することができることは前記第一の実施の形態と同様である。
さらに、反射ボックス底片２４ａには、第二、第三開口１７ｂ、１７ｃ対向部位において、下端ほど表パネル１６側に傾斜する傾斜面２４ｄに形成されており、これによって、第二、第三開口１６ｂ、１６ｃを介する光が一層集中して照射されるように構成されている。
【図面の簡単な説明】
【００２０】
【図１】図１（Ａ）、（Ｂ）はそれぞれ玄関ドアとエントランスユニットとの配設状態を説明する正面図、背面図である。
【図２】図１（Ａ）のＸ−Ｘ断面図である。
【図３】図１（Ａ）のＹ−Ｙ断面図である。
【図４】第二の実施の形態の玄関ドアとエントランスユニットの配設状態を説明する正面図である。
【図５】第二の実施の形態のエントランスユニットの側面図である。
【図６】図６（Ａ）、（Ｂ）はそれぞれ図５のＸ−Ｘ断面図、要部の平面図、要部の背面図である。
【符号の説明】
【００２１】
１    玄関ドア
３    副戸枠
４    エントランスユニット
６    表パネル
６ｃ    上側開口
６ｄ    下側開口
９    表札プレート
１０    照明灯
１２    反射ボックス
１２ａ    底片
１２ｄ    傾斜面
【図１】
2006236754.tif 000003
【図２】
2006236754.tif 000004
【図３】
2006236754.tif 000005
【図４】
2006236754.tif 000006
【図５】
2006236754.tif 000007
【図６】
2006236754.tif 000008